(57)【要約】【課題】LED端面配置式の、表示面の輝度が均一かつレーザー装置の加工能力幅以上の大きな幅の大型表示板および同様構成の細長照明具を提供する。【解決手段】  LED式大型表示板は、加工能力幅最大に反射パターンを刻印加工した矩形透光板を、その幅方向に二以上重ね繋ぎした倍幅以上の拡幅大型合体導光板により実現し、この矩形導光板の両長辺端面と重ね繋ぎ部の端面とにLEDを配置し、つまり合体導光板の中間部にもLEDを配置し、また二枚重ねの透光板の各刻印反射パターンの位置と形状を調整し、大型表示板の輝度を均一化した。また、細長照明具も、前記合体導光板を細長に分割した合体導光体を用い、中間部に配置したLEDによりその輝度の均一化を図った。【選択図】  図１
2010175606.tif 000002
【特許請求の範囲】
【請求項１】
反射パターンを有する矩形合体導光板と、その長辺両端部と板面中間部
または長辺両端部のみに配置したLEDと、短辺両端面に配置した反射材
と、上面全体に配置した反射材と裏面板と、下面全体に配置した光拡散
板と表示フィルムと表面板と、LED電源回路関連器具を内部に納める外
周枠装体とにより一体構成したことを特徴とするLED 式表示板。
【請求項２】
請求項１に記載したLED 式表示板において、長辺に平行に略三分等し
た中央部に反射パターン群を有する第一の矩形透光板を、同様に略三
分した両側部に各々反射パターンを有する第二の矩形透光板に重ねた
合体導光板において、長辺両端面にLEDを配置し、短辺両端面に反射
材を、上面全体に反射材と裏面板を、下面全体に光拡散板と表示フィル
ムと表面板を配置し、LED電源回路関連器具を内部に納める外周枠装
体により一体構成したことを特徴とするLED 式二重型表示板。
【請求項３】
請求項２に記載した合体導光板において、第一の矩形透光板の両側非
刻印部分を切断除去した中央部の切断両端面にLEDを移設配置した中
央二重型合体導光板により構成したことを特徴とするLED式中央二重型
表示板。
【請求項４】
請求項３に記載した合体導光板において、第二の矩形透光板の中央部
分の非刻印部分を切断除去した両側部の切断両端面に反射材を配置し
た三の透光板の重ね継ぎ型合体導光板により構成したことを特徴とする
LED式重ね 継ぎ型表示板。
【請求項５】
請求項１に記載したLED 式表示板において、LEDを配置した辺側より対
辺に至る略細長三角形の反射パターン群を有する矩形片側LED導光板
の前記対辺相互を突合せ接合した導光板において、上面全体に反射材
と裏面板、下面全体に光拡散板と表示フィルムと表面板を配置し、LED 
電源回路関連器具を内部に納める外周枠装体により一体構成したことを
特徴とするLED式突合せ型表示板。
【請求項６】
請求項５に記載した片側LED導光板の対辺の上に他の片側LED導光
板のLED側を部分的に順次重ねた合体導光体により構成したことを特
徴とするLED式順次重ね型表示板。
【請求項７】
請求項２、３、４，６に記載した二重型、中央二重型、重ね継ぎ型、順次重
ね型の各合体導光板を長辺方向に縮小した各細長合体導光体と、その
両端面および中間部に配置したLEDと、各両長辺端面とLEDを配置し
ない短辺端面と上面全体に配置した反射材と、下面全体に配置した光拡
散材と表面材と、LED電源回路関連器具を内部に納める外装体により一
体構成したことを特徴とする二重型、中央二重型、重ね継ぎ型、順次重ね
型のLED式細長照明具。
【請求項８】
反射パターンを有する細長平板導光体長辺の片側または両側の端面な
いし端面より内部の、一以上の開切欠ないし閉切欠と両短辺に配置した 
LEDと、長辺端面と反射パターン平面に配置した反射材と、他の平面に
配置した光拡散材と表面材と、LED電源回路関連器具を内部に納める
外装体により一体構成したことを特徴とするLED式切欠き型照明具。
【請求項９】
請求項８に記載した平板導光体において、その導光材両短辺にLEDを
配置し、かつ長辺両側端面ないし内面部に付設した各開切欠ないし各閉
切欠にもLEDを配置し、反射パターンを有する平面の裏面に光拡散材と
表面材を配置し、切欠き両側端面と反射パターン平面上に反射材を配置
し、LED電源回路関連器具を内部に納める外装体により一体構成したこ
とを特徴とするLED式切欠き平板型照明具。    
【請求項１０】
請求項８に記載した平板導光体において、この平板導光体の両短辺に
LEDを配置しかつ一長辺端面は一以上のLED配置した切欠きと反射パ
ターンを有し、この長辺端面と両側平面とに反射材を、非切欠きの長辺端
面全体に光拡散材と表面材を配置し、LED電源回路関連器具を内部に
納める外装体により一体構成したことを特徴とするLED式切欠き立て型
照明具。
【発明の詳細な説明】
【技術分野】
【０００１】
本発明は、屋内外に設置する、表示広告用の発光ダイオード（以下LED
と記す）式発光表示板およびLED式細長照明具に関するものである。
【背景技術】
【０００２】
文字、絵柄、写真像などの広報表示する手段に、矩形透光板の片面にあ
る反射パターンや反射板で透光板の側端よりする射光が反射し、その反
射光が向かう他の片面つまり表示面に密着した描像フィルムを、透過す
ることによりその描像を肉眼が認識する導光板式の表示板がある。また、
使用寿命の短く、環境負荷が高く廃棄処理に手数の掛かる蛍光灯は、空
間照明のみならず近くから物品を照明するショウケースなどにも使用される。
【特許文献１】特願２００４−７５５４１
【特許文献２】特願２００８−３４３１４
【発明の開示】
【発明が解決しようとする課題】
【０００３】
しかしながら、導光板式の表示板をより大型化することが、前記反射パタ
ーンを刻印するレーザー加工装置等の加工能力で導光板の幅が制限さ
れ、その幅以上の大型導光板製作は不可能であり、より拡幅の大型表示
体の需要に応じられない問題点があった。
【０００４】
また、レーザー加工による導光板製作は、四辺形の対向する長辺の間に
レーザー光線を走査した透光板表面に長辺端面つまりエッジに配置した
LEDの発する光を非加工面つまり表示面に向けて反射するための細溝構
成のパターンを形成することである。そして、LEDの端面つまりエッジ配置
式の広幅板の弱点は、長辺配置のLEDから離れる長辺に平行の帯状中
央帯状部が光の減衰により暗くなる、輝度の不均一性の問題点があり、蛍
光灯に代わりうる導光体を使うLED式細長照明具にも同様の問題点があ
った。
【０００５】
本発明は、以上の状況に鑑みて発明されたものであり、導光板の周辺の
みならず中間内部にもLEDを配置して前記不均一性を抑制するLED式
の表示板と細長照明具を提供することを目的とする。
【課題を解決するための手段】
【０００６】
以上の目的を達成するため、本発明は、反射パターンを有する矩形合体
導光板の長辺両端面と内面にまたは長辺両端面のみにLEDを配置し短
辺両端面に反射材を、上面全体に反射材と裏面板を、下面全体に光拡
散板と表示フィルムと表面板を配置し、LED電源回路関連器具を内部に
納める外周枠装体により一体構成したLED 式表示板である。
【０００７】
本発明は、長辺に平行に略三分等した中央部分に反射パターンを有する
第一の長方形透光板を、同様に略三分した両側部分に各々反射パター
ンを有する第二の長方形透光板に重ねた二重合体導光板において、長
辺両端面にLEDを配置し、短辺両端面に反射材を、上面全体に反射材
と裏面板を、下面全体に光拡散板と表示フィルムと表面板を配置し、LED 
電源回路関連器具を内部に納める外周枠装体により一体構成したLED 
式二重型表示板である。
【０００８】
本発明は、前記二重型合体導光板において、第一の長方形透光板の両
側非刻印部分を切断除去した中央部分の切断両端面にLEDを移設配
置した中央二重型合体導光板によるLED式中央二重型表示板である。
【０００９】
本発明は、前記中央二重型合体導光板において、第二の長方形透光板
の中板の中央部分非刻印部分を切断除去した両側部分の切断両端面に
反射材を配置した重ね継ぎ型合体導光板によるLED式重ね継ぎ型表示
板である。
【００１０】
本発明は、LEDを配置した辺側より対辺に至り、そこで最大幅となり相互
に接する反射パターン複数を有する片側LED導光板の前記対辺相互
を突合せ接合した導光板において、反射パターン面全体に反射材と裏面
板、他の面全体に光拡散板と表示フィルムと表面板を配置し、LED電源
回路関連器具を内部に納める外周枠装体により一体構成したLED式突
合せ型表示板である。
【００１１】
本発明は、請求項４に記載した片側LED導光板の対辺の上に他の片側
LED導光板のLED側を部分的に順次重ねた合体導光体において、上
面全体と各他端と各両側端とに反射材と裏面板、下面全体に光拡散板と
表示フィルムと表面板を配置し、LED電源回路関連器具を内部に納める
外周枠装体により一体構成したLED式順次重ね型表示板である。
【００１２】
本発明は、二重型、中央二重型、重ね継ぎ型、順次重ね型の各合体導光
板を長辺方向に縮小した各細長合体導光体と、その各両端面および中間
端面に配置したLEDと、各両長辺端面とLEDを配置しない短辺端面と
上面全体に配置した反射材と、下面全体に配置した光拡散材と表面材と、
LED電源回路関連器具を内部に納める外装体により一体構成した二重
型、中央二重型、重ね継ぎ型、順次重ね型のLED式細長照明具である。
【００１３】
本発明は、反射パターンを有する細長平板導光体の長辺片側または両側
の端面ないし端面より内部の、一以上の開切欠ないし閉切欠と両短辺に
配置したLEDと、各端と各平面に配置した反射材と光拡散材と表面材と、
LED電源回路関連器具を内部に納める外装体により一体構成したLED
式切欠き型照明具である。
【００１４】
本発明は、導光体両短辺にLEDを配置しかつ長辺両側端面ないし内面
部に付設した各開切欠ないし各閉切欠にもLEDを配置し、反射パターン
を有する平面の裏面に光拡散材と表面材を配置し、切欠き両側端面と反
射パターン平面上に反射材を配置し、LED電源回路関連器具を内部に
納める外装体により一体構成したLED式切欠き平板型照明具である。    
【００１５】
本発明は、平板導光体の両短辺にLEDを配置しかつ一長辺端面は一以
上のLED配置した切欠きと反射パターンを有し、この長辺端面と両側平
面とに反射材を、非切欠きの長辺端面全体に光拡散材と表面材を配置し、
LED電源回路関連器具を内部に納めた外装体により一体構成したLED
式切欠き立て型照明具である。
【発明の効果】
【００１６】
本発明のLED式表示板は  LEDが導光板幅の中間に配置され、表示板
の輝度が均一化している。
【００１７】
本発明のLED式二重型表示板は  LEDが導光板幅の中間に配置され、
表示板の輝度が均一化している。  
【００１８】
本発明のLED式中央二重型表示板は、輝度が均一化し、透光材つまり
導光板が省材されている。
【００１９】
本発明のLED式重ね継ぎ型表示板は、輝度が均一化し、透光材がさら
に省材されている。
【００２０】
本発明のLED式突合せ型表示板は、輝度が均一化し、倍幅の大型表示
板である。  
【００２１】
本発明のLED式順次重ね型表示板は、より拡幅の、輝度の均一化した超
大型表示板である。
【００２２】
本発明のLED式の二重型と中央二重型と重ね継ぎ型と順次重ね型の各
細長照明具は、複数LEDが導光体の中間に配置され、輝度が均一化し、
透光材が減少し、順次重ね型は長伸可能である。
【００２３】
本発明のLED式切欠き型照明具は、単独細長平板導光材の片側端面の
開切欠ないし端面内部の閉切欠きにもLEDを配置し、高輝度でしかも均
一化している。
【００２４】
本発明のLED式切欠き平板型照明具は、LEDを配置した切欠が平板導
光材の長辺両端面にあり、輝度が一層均一化している。
【００２５】
本発明のLED式切欠き立て型照明具は、放光面の幅が狭く輝度が高い。
【発明を実施するための形態】
【００２６】
本発明の発光ダイオード（以下LEDと記す）式の表示板と細長照明具の
最良の実施形態を、図１〜９に基づいて説明する。表示板の幅、つまりL
EDを配置する対向するに両辺の距離の大きい広幅導光板の場合、前記
のごとく光の減衰により中央帯状部の輝度低下つまり不均一が生じる。
これを改善する方法として導光板の多様な構成とLEDの配置を工夫し、
またレーザー加工装置の加工能力以上の幅の大型表示板製作のため、
透光板を幅方向に接合する合体導光板を工夫した。
なお、矩形の透光板や透光材、導光板や導光体の長辺を長さと、短辺を
幅と表記する。また、表示放光面を下側にして説明する。
【００２７】
図１は、本発明の矩形LED式二重型表示板１Aの表示面を下にした幅方
向の断面概略図であり、図2は、表示板の主要部である二重型合体導光
板2 Aの断面概略図であり、二枚の構成材料としての各アクリル樹脂透光
板の長辺に平行に略三等分ないし中央部を両側部より広く区分けし、上の
第一の透光板2aは中央部上面に反射パターン3aを刻印し、下の第二の
透光板2bは両側部上面に反射パターン3bを刻印し、これら二枚を重ね
合わせ接合したものである。この二重型合体導光板2 Aにおいて、長辺
両端面に個別LEDまたはLEDを配列したLED基板４b を配置し、図に
表示してない短辺両端面に反射材を、上面全体に反射材5と裏面板6を、
下面全体に乳板つまり光拡散板7と表示フィルム8と表示放光面となる表
面板9を配置し、LED電源回路板関連器具を内部に納め、LED基板４b
に直接または間接に接続しヒートシンクを兼ね、複数部材からなる金属製
外周枠装体10 により一体化してLED式二重型表示板1 Aが構成される。
なお前記外周枠装体の他の機能、防水性などに関わる構造を省略する。
なお、表示する文字や図柄の位置に略合わせて反射パターンを刻印して
もよく、刻印しない部分に対応するLEDを除去してもよい。また反射パタ
ーンに反射剤を付着させてもよい。
【００２８】
第一の透光板2a中央部上面に刻印した細線構成の略細長略菱形の複
数の平行な反射パターン3aは、その両鋭角端が中央部の両側長辺付近
にあり、第二の透光板2b両側部上面に刻印した、略細長三角形状の反
射パターン3bは、その鋭角頂点が両側長辺付近にあり、底辺部が前記
細長略菱形パターンの各鋭角端を上にして重なる程の位置にあり、略末
広がり状である。  なお、特許文献２、特願２００８−３４３１４を参照。
そして、両長辺に配置したLED基板４aからの放射光は、第一の透光板
2aの反射パターン非刻印両側部をそのまま通過し中央部へ進み、そこの
反射パターン3aで反射し、透光板2aの厚さ方向に透過して表示面へ進
むので、第二の透光板2bの下面つまり合体導光板2 Aの全表示面は略
均一な輝度を発現する。
【００２９】
以下の各表示板はその合体導光板の形状が違う他は略同様であり、各表
示板の断面概略図を示さずに各合体導光板の断面概略図を示すことにし、
以下、図１の2 Aつまり図２に示した二重型合体導光板2 Aを各合体導
光板に置換えることを想定して説明する。
【００３０】
図３は、本発明のLED式中央二重型表示板1Bの合体導光板2Bの断
面概略図であり、前記二重型導光板2Aの第一透光板2aの非刻印の両
側部を除去した刻印中央部のみの透光板とした中央二重型合体導光板
2Bとし、LED4bを両端面に移設配置し、前記同様に、短辺両端面に反
射材を、上面全体に反射材5と裏面板6を、下面全体に光拡散板7と表
示フィルム8と表面板9を配置し、LED電源回路関連器具を内部に納め
る外周枠装体10により一体化してLED式中央二重型表示板1Bが構成
される。両長辺および第一透光板2aの両端面に配置したLED4bにより、
第一の透光板がLEDの光を第二の透光板2bの表示面中央部分へ反射
し、合体導光板2 Bの幅の中間部に配置した前記LED4bにより全表示
面は略均一な輝度を発現する。これらLED式二重型と中央二重型の表
示板の幅は、その第二透光板の幅が加工機の最大加工幅であり、その加
工幅に制約される。
【００３１】
また、図４は、本発明のLED式重ね継ぎ型表示板1Cの合体導光板2 C 
の断面概略図であり、前記中央二重型表示板2Bの第二透光板2bの非
刻印中央部を、その幅を第一透光板の中央部の幅より狭く切断除去し、分
離した両側部の切断端辺に第一透光板2aの中央部の両長辺端部を重ね
接合した重ね継ぎ型合体導光板2 Cとし、LED４bを外側の両長辺端面
に配置し、内側の切断長辺両端面に反射材5bを密接し、前記同様に、
各側部の切断端面に反射材を密接し、上面全体に反射材5と裏面板6を、
下面全体に光拡散板7と表示フィルム8と表面板9を配置し、LED電源
回路関連器具を内部に納める外周枠装体10により一体化してLED式重
ね継ぎ型表示板1Cが構成される。前記同様に全表示面は略均一な輝
度を発現する。
【００３２】
このLED式重ね継ぎ型表示板は、各透光板の幅を加工機の最大加工幅
にすれば、その幅が最大加工幅の略三倍幅となり、加工機能力に規制さ
れず、また前記各合体導光板を含め、その中間部にもLEDが配置され輝
度が均一化され、つまり表示板の大型化とそれに伴う輝度の不均一化の
両問題を同時に解決している。なお、第一透光板2aのLED４bは片側で
もよい。
【００３３】
また、図５は、本発明のLED式突合せ型表示板1Dの導光板２D の断面
概略図であり、LED4bを配置する一長辺側から対辺へ細長略
三角形状の反射パターン群を刻印した突合せ透光板2dと、同様の他の
透光板2dとを前記対辺を突合せ接合して、二倍幅突合せ型導光板２D と
し、前記同様に、両短辺の端面に反射材を密接し、上面全体に反射材5 
と裏面板6を、下面全体に光拡散板7と表示フィルム8と表面板9を配
置し、LED電源回路関連器具を内部に納める外周枠装体10により一体
化しLED式突合せ型表示板1Dが構成される。なお、突合せ端面に両面
反射材を挟むのもよい。また、この突合せ透光板2dの片方を表示板として
もよく、この場合非LED配置端面に反射材を配置する。
【００３４】
また、図６は、本発明のLED式順次重ね型表示板1Eの合体導光板2E
の断面概略図であり、前記突合せに用いたLED4b片側配置透光板２d
のLED側端辺の下に同様の片側LED透光板２dの対辺を部分的に順
次重ねた合体導光体2Eにおいて、前記同様に、各対辺端面に反射材
5bと各両側短辺端面に反射材を、上面全体に反射板５と裏面板６を配置
し、下面全体に光拡散板７と表示フィルム８と表面板９を配置し、LED電源
回路関連器具を内部に納める外周枠装体１０により、一体化したレーザー
加工幅の任意倍に略等しい超大型のLED式順次重ね型表示板1Eが構
成される。なお、前記合体導光体2Eと反射板、光拡散板とは、また外周
枠装体１０と裏面板６、表面板９とは部分的な密接着となる。
【００３５】
また、以下の説明は、前記二重型２Aと中央二重型２Bと重ね継ぎ型２C
と順次重ね型２Eの各合体導光板の断面形状に倣った各合体導光体を
使用する照明具に関してであり、その長辺方向の断面は図２、３、４、６と
略同じであり、前記各表示板の場合と同様に、それら各照明具の構成は
略同様となる。
【００３６】
図７は、その代表としての重ね継ぎ型合体導光体２RによるLED式重ね
継ぎ型細長照明具1Rの長辺方向の縦断面概略図であり、この場合、合 
体導光体2Rは前記合体導光板２Cの長さを短縮した、つまり短辺に平行
に短い所定寸法で切断分割した形状であり、その切断寸法が幅となり、長
さが前記合体導光板の幅である。この細長合体導光体2R において、 
LED4bを各透光材の各短辺端面に配置し、長辺端面とLEDを配置しな
い短辺端面とに反射材５bを密接し、前記同様に、反射パターンが略末広
がりにつまり細長三角形刻印された上面全体に反射材5を、放光面となる
合体導光体2Rの下面全体に光拡散材7と表面材9を配置し、LED電
源回路関連器具を内部に納める金属ないしプラスチック製の外装体10 r
により一体化してLED式重ね継ぎ型照明具1Rが構成される。以上は例
として、照明具の幅つまり前記切断寸法が、厚さつまり表面材下面より外
装体上面までの寸法以上の場合であるが、未満の場合、二重型と順次重
ね型を除いて一枚の平板透光板から切り出した各形状の一体導光体もよ
い。細長の合体導光材の中間にLEDが配置されるので輝度が均一化さ
れる。
【００３７】
図示はしてないが、他の型の照明具の構成は、合体導光体の形状差に対
応したものとなり、前記各表示板の場合と同様ゆえ、LED式の、二重型合
体導光体２Pによる二重型照明具1Pと中央二重型合体導光体２Qによる
中央二重型照明具1Qと順次重ね型合体導光体２Sによる順次重ね型照
明具１Sを容易に想定出来よう。
【００３８】
また、図８は、LED式切欠き平板型照明具１Xの長辺方向の平断面概略
図であり、放光面は図示されていない。
非合体細長平板導光体2Xの長辺両側端面に対向または交互
千鳥に配置した一以上の矩形、台形などの四辺形の各開切欠11、ないし
端面より内部の角形、円などの各閉切欠と両短辺端面にLED4を配置し、
前記同様に、図示はしてないが、各LED側を要とするまたは平行な一以
上の細長三角形状の反射パターンが片側平面に刻印され、他の片面が
放光面となり、切欠き両側端面と反射パターン平面上に反射材5を、その
平面下面つまり前記放光面全体に図示せぬ光拡散材と表面材を配置し、
LED電源回路関連器具を内部に納める外装体10xにより一体化してLE
D式切欠き平板型照明具１Xが構成される。両側短辺端面と各切欠にL
ED4が配置され、輝度が均一化される。なお前記切欠き深さは導光体の
厚さと同じかそれより浅い。
【００３９】
また、図９は、LED式切欠き立て型照明具1Yの長辺方向の縦断面概略
図であり、細長平面導光体2 Yの一長辺端面に一以上のLED4を配置し
た切欠き11を設けかつ前記同様の反射パターンを刻印し、他の長辺端
面を放光面とし、前記同様に、反射パターンを刻印した切欠き端面と両側
平面とに反射材5を、前記放光面である他の長辺端面全体に光拡散材7
と表面材9を配置し、LED電源回路関連器具を内部に納める外装体10y
により一体化してLED式切欠き立て型照明具1Yが構成される。導光体
厚さの細長放光面は、両側短辺端面と各切欠に配置されLED4により、
一層高輝度、均一化される。なお、平板型と立て型の導光体の断面の縦
横比は横を１とし１０までとする。また、前記両側平面にも反射パターンを
刻印しもよい。
【００４０】
以上、本発明の合体導光板によるLED式表示板とLED式細長照明具の
構成と機能を説明したが、多様な変形が可能であり、また構造詳細の省略
もあることを理解されたい。変形の例として、前記導光板の構成を、複数の
単位モジュールつまり幅1メートル長さ1メートル以上の透光板の組み合
わせにより各様にしてもよい。例えば、重ね継ぎ型合体導光板に倣い、三
枚の単位モジュールを使い、モジュール幅の間隔で平行に並べた二の第
二の透光板モジュールの対面する両長辺全端面に第一の透光板モジュ
ールを支持する、同厚小幅の透明受け材を配置接合して形成するモジュ
ール幅の三倍の非重ね継ぎ型合体導光板であり、反射パターン、LED、
反射材などを前記同様に配置する。なお、順次重ね型を除き、他の型の
導光板の単位モジュール構成も、同様に理解できよう。また、前記照明具
の導光体も同様である。
【００４１】
なお、表示板と細長照明具の主な構造的な相違は、面状と棒状であり長
辺と短辺が逆になり、表示フィルムと裏面材の有無、外周枠装体と外装体
であり、用途は異なるが基本機能は同じである。
なお、反射パターンの付加刻印は、反射剤の印刷式塗布や尖端刃やヤ
スリによる機械加工に替えてもよい。
なお、反射パターンはドットを並べたLEDから離れるにつれ、末広がり状
つまりグラデーション状や機械加工ではパターンを深くしてもよい。
【００４２】
なお、LEDの配置される端面に、透光板または透光材の平面に対する傾
斜を付けてもよい。また、細長照明具の単一矩形断面導光体の場合、長
軸垂直の二等分断面を対称面にして左右の各断面を連続的に変えてもよ
い。つまり前記導光体は直方体以外の形状もよい。
なお、LED電源回路関連器具を外周枠装体、外装体の外部に配置して
もよい。
なお、重ね継ぎ型合体導光板の中央部を突合せ型導光板としてもよい。
また、導光材は微粉反射剤を混ぜたビーズ材でもよく、この場合反射パ
ターンの刻印はしない。
【図面の簡単な説明】
【００４３】
【図１】本発明のLED式二重型表示板の幅方向の断面概略図である。
【図２】本発明の二重型合体導光板の短辺方向の断面概略図である。
【図３】本発明の中央二重型合体導光板の短辺方向の断面概略図である。
【図４】本発明の重ね継ぎ型合体導光板の短辺方向の断面概略図である。
【図５】本発明の突合せ型導光板の短辺方向の断面概略図である。
【図６】本発明の順次重ね型合体導光板の短辺方向の断面概略図である。
【図７】本発明のLED式重ね継ぎ型細長照明具の長辺方向の縦断面概略図である。
【図８】本発明のxLED式切欠き平板型細長照明具の長辺方向の平断面概略図である。
【図９】本発明のLED式切欠き立て型細長照明具の長辺方向の縦断面概略図である。
【符号の説明】
【００４４】
１Ａ   LED式二重型表示板          
１Ｒ  LED式重ね継ぎ型細長照明具
１Ｘ  切欠き平板型細長照明具、       
１Ｙ  切欠き立て型細長照明具          
２Ａ  二重型合体導光板                
２Ｂ  中央二重合体導光板、
２Ｃ  重ね継ぎ型合体導光板、        
２Ｄ  突合せ型合体導光板、        
２Ｅ  順次重ね型合体導光板、        
２Ｒ  重ね継ぎ型合体導光体
２ａ  第一の透光板、                    
２ｂ  第二の透光板、
２ｄ  突合せ透光板                      
３ａ  反射パターン、    
３ｂ  反射パターン、                     
４ｂ  LED、LED基板                          
５、５ｂ  反射材、                           
６  裏面板、        
７  光拡散板、                             
８  表示フィルム
９  表面板、                                
１０  外周枠装体、  
１０ｒ、１０ｘ、１０ｙ  外装体                 
１１ 切欠き
【図１】
2010175606.tif 000003
【図２】
2010175606.tif 000004
【図３】
2010175606.tif 000005
【図４】
2010175606.tif 000006
【図５】
2010175606.tif 000007
【図６】
2010175606.tif 000008
【図７】
2010175606.tif 000009
【図８】
2010175606.tif 000010
【図９】
2010175606.tif 000011